(57)【要約】【課題】本発明は、構成が簡単なレンズキャップを提供する事を目的とする。【解決手段】レンズ６には着脱可能にレンズキャップ本体１０が取り付けられる。レンズキャップ本体１０の内面１１には第１，第２，第３の脚載置部１２，１３，１４が一体形成される。それぞれの脚載置部１２，１３，１４は内面１１より窪んだ凹状に形成されている。第１，第２および第３の脚載置部１２，１３，１４の内面１２ａ，１３ａ，１４ａはそれぞれ深さＤ１，Ｄ２，Ｄ３の深さを有している。内面１３ａの深さＤ２は内面１２ａの深さＤ１よりも深く形成されている。また、内面１４ａの深さＤ３は内面１３ａの深さＤ２よりも深く形成されている。すなわち、レンズキャップ本体１０の外面１０ａから内面１２ａ，１３ａ，１４ａまでの高さは、外面１１と内面１２ａとの間が一番高く、外面１１と内面１４ａとの間の高さが一番低く形成されている。【選択図】  図４
2004184794.tif 000002
【特許請求の範囲】
【請求項１】
電子機器のレンズに着脱可能に取り付けられ、電子機器の脚部が載置されることで電子機器の高さ調整を行うレンズキャップにおいて、
本体と、
上記本体に設けられ、第１の深さを有する第１の脚載置部と、
上記本体に設けられ，上記第１の深さよりも深い第２の深さを有する第２の脚載置部と、
を具備することを特徴とするレンズキャップ。
【請求項２】
電子機器のレンズに着脱可能に取り付けられ、電子機器の脚部が載置されることで電子機器の高さ調整を行うレンズキャップにおいて、
本体と、
上記本体に形成され、第１の深さから、この第１の深さよりも深く形成される第２の深さまで徐々に深くなるようにテーパー形状に形成され脚載置部と、
を具備することを特徴とするレンズキャップ。
【請求項３】
電子機器のレンズに着脱可能に取り付けられ、電子機器の脚部が載置されることで電子機器の高さ調整を行うレンズキャップにおいて、
第１の面と、
上記第１の面に対向する第２の面と、
上記第１の面に形成され、上記第２の面からの高さが第１の高さに形成される第１の脚載置部と、
上記第１の面に形成され、上記第２の面の高さが上記第１の高さよりも低い第２の高さに形成される第２の脚載置部と、
を具備することを特徴とするレンズキャップ。
【発明の詳細な説明】
【０００１】
【発明の属する技術分野】
本発明は、電子機器に使用するレンズキャップに関する。
【０００２】
【従来の技術】
従来、液晶プロジェクタ等の電子機器を使用する際、投影時の高さ調整の為に電子機器のレンズキャップを電子機器の脚部の下に置くことで高さ調整をおこなっている。さらに、レンズキャップ裏面に回動可能なアームを設け、このアームを起立させた状態で電子機器を搭載することで高さ調整を行っている。（特許文献１参照）
【０００３】
また、レンズキャップの高さが無段階に調節でき、結果として電子機器の投影高さを無段階に調整することが可能なレンズキャップも存在する。このようなレンズキャップは２部品構成となっており、一方の部材の周囲にカム溝を設け、他方の部材をこのカム溝に沿って回転させることで任意の高さに調整を行うものである。（特許文献２参照）
【０００４】
【特許文献１】特開平５−２８１５９４号公報（図１、６参照）
【０００５】
【特許文献２】特開２００２−２９６６７０号公報（図１、２、３、６参照）
【０００６】
【発明が解決しようとする課題】
しかしながら、特許文献１に開示されている構成においては、高さ調節は一段階しかできず、また、アーム等の別部材をレンズキャップに設ける必要があり、構成が複雑で、組み立て性の面で課題があった。
【０００７】
更に、特許文献２に開示されている構成においては、多段階に調整が可能であるが、構成が複雑で、組み立て性の面で課題があった。
【０００８】
そこで本発明は、構成が簡単なレンズキャップを提供する事を目的とする。
【０００９】
【課題を解決するための手段】
上記目的を達成するために、請求項１に係るレンズキャップにおいては、本体と、本体に設けられ、第１の深さを有する第１の脚載置部と、本体に設けられ，第１の深さよりも深い第２の深さを有する第２の脚載置部と、を具備することを特徴とする。
【００１０】
請求項２に係るレンズキャップにおいては、本体と、本体に形成され、第１の深さから、この第１の深さよりも深く形成される第２の深さまで徐々に深くなるようにテーパー形状に形成され脚載置部と、を具備することを特徴とする。
【００１１】
請求項３に係るレンズキャップにおいては、第１の面と、第１の面に対向する第２の面と、第１の面に形成され、第２の面からの高さが第１の高さに形成される第１の脚載置部と、第１の面に形成され、第２の面の高さが第１の高さよりも低い第２の高さに形成される第２の脚載置部と、を具備することを特徴とする。
【００１２】
このような構成により、構成が簡単なレンズキャップを提供することが可能となる。
【００１３】
【発明の実施の形態】
以下本発明に係る第１の実施の形態を、液晶プロジェクタのレンズキャップに適用し、図面を参照して説明する。
【００１４】
図１は、液晶プロジェクタの外観斜視図である。図２は、液晶プロジェクタの底面図である。
【００１５】
図１に示すように、液晶プロジェクタ１は本体２を有している。本体２は上面３および前面４を有している。上面３には液晶プロジェクタを操作するための複数のボタン７が設けられている。また、前面４には画像データを投影するためのレンズ６が設けられている。
【００１６】
図２に示すように、本体２の底面５には脚部が設けられる。底面５の前部５ａには脚部８が設けられる。また底面５の後部５ｂには一対の脚部９ａ，９ｂが設けられる。それぞれの脚部８，９ａ，９ｂにはゴム等の滑り止めが設けられている。
【００１７】
図３は、液晶プロジェクタおよびレンズキャップの外観斜視図である。図４は、レンズキャップの内面を示す斜視図である。
【００１８】
液晶プロジェクタ１のレンズ６には着脱可能にレンズキャップ本体１０が取り付けられる。レンズキャップ本体１０の内面（第１の面）１１には第１の脚載置部１２、第２の脚載置部１３、および第３の脚載置部１４が一体形成される。なお内面１１はレンズキャップ本体１０をレンズ６に取り付けた際、レンズ６側に位置する面である。それぞれの脚載置部１２，１３，１４は内面１１より窪んだ凹状に形成されている。脚載置部１２，１３，１４のそれぞれの内面１２ａ，１３ａ，１４ａはすり鉢状に形成されている。なお、内面１２ａ，１３ａ，１４ａの底部は平面であっても良い。
【００１９】
図５は、図４の断面線Ｘ−Ｘ’におけるレンズキャップの断面図である。
【００２０】
図５に示すように、レンズキャップ２０はレンズキャップ本体１０を有する。レンズキャップ本体１０の内面１１には第１，第２および第３の脚載置部１２，１３，１４が形成されている。第１，第２および第３の脚載置部１２，１３，１４の内面１２ａ，１３ａ，１４ａはそれぞれ深さＤ１（第１の深さ），Ｄ２（第２の深さ），Ｄ３の深さを有している。内面１３ａの深さＤ２は内面１２ａの深さＤ１よりも深く形成されている。さらに、内面１４ａの深さＤ３は内面１３ａの深さＤ２よりも深く形成されている。すなわち、レンズキャップ本体１０の外面（第２の面）１０ａから内面１２ａ，１３ａ，１４ａまでの高さは、外面１１と内面１２ａとの間の高さ（第１の高さ）が一番高く、外面１１と内面１４ａとの間の高さ（第２の高さ）が一番低く形成されている。このような構成を有するレンズキャップ本体１０を液晶プロジェクタ１の三脚として使用する方法について説明する。
【００２１】
図６は、レンズキャップを液晶プロジェクタの三脚として使用している状態を示す図である。図６に示すように、まずレンズキャップ本体１０の外面１０ａを液晶プロジェクタ１が載置される机等の平らな場所に置く。次に底面５の前部５ａに形成されている脚部８をレンズキャップ本体１０の内面１１上に載置する。このとき脚部８を第１、第２、または第３の脚載置部１２，１３，１４の何れかの中に載置する。すなわち、投影高さを高くしたいときは、第１の脚載置部１２の内面１２ａに客部８を載置し、投影高さを低くしたいときは、第３の脚載置部１４の内面１４ａに載置することで、投影高さを上下に調節する。勿論、中間くらいの高さにしたいときは脚部８を第２の脚載置部１３の内面１３ａに差位置すればよいことは言うまでも無い。第１の実施の形態においては、３つの脚載置部を設けたが、もっと多くの脚載置部を形成することで細かい高さ調節ができるのは言うまでも無い。
【００２２】
上記したようにレンズキャップの内面に深さの異なる複数の脚載置部を一体形成することで、容易に高さ調節をすることが可能であり、更に製造性が向上し、コストの面でも有利になる。
【００２３】
次に第２の実施の形態について説明する。なお、第１の実施の形態と同一の構成については同一符号を付与し説明を省略する。図７は、第２の実施の形態に係るレンズキャップの斜視図である。図８は、図７の断面線Ｙ−Ｙ’におけるレンズキャップの断面図である。
【００２４】
図７に示すようにレンズキャップ本体１０の内面１１には深さが徐々に深くなるように形成された脚載置部１９が形成される。脚載置部１９は内面１１の中央部１８を取り巻くように平面略Ｃ形状に形成され、かつテーパー状に形成されている。図８に示すように、脚載置部１９の深さは図８に示すように深さＤ１（第１の深さ）から深さＤ２（第２の深さ）まで徐々に深くなっている。すなわち、レンズキャップ本体１０の外面１０ａから脚載置部１９までの高さは、脚載置部１９の深さＤ１の位置において最も高く形成され、深さＤ２の位置において最も低く形成されている。
【００２５】
このようなレンズキャップ本体１０に液晶プロジェクタ１の脚部８を載置する場合は、脚部８を脚載置部１９のテーパー面の任意の位置に載置することで机面からの高さを任意に調整することが可能である。すなわち脚載置部１９の深さＤ１の位置に脚部８を載置した場合が最も投影高さが高くなり、深さＤ２の位置に脚載置部を載置した場合がもっとも低くなる。これら深さＤ１からＤ２の間であれば任意に投影高さを調整する事が可能となる。なお，脚部８にはゴム等の滑り止めが設けられているため、脚載置部１９のテーパー面からズレおちることを防止している。
【００２６】
上気したよう第２の実施の形態によれば、レンズキャップの内面に深さが徐々に深くなる脚載置部を一体形成することで、容易に高さを多段階、にかつ任意に調整する事が可能であり、更に製造性が向上し、コストの面でも有利になる。
【００２７】
本発明ではその主旨を逸脱しない範囲であれば、上記の実施形態に限定されるものではない。例えば、上記実施の形態においては、レンズキャップ内面に凹部状の脚載置部を形成したが、凸上に高さの異なる脚載置部を形成しても良いし、またレンズキャップの外面に凹状もしくは凸状の脚載置部を形成しても良い。そして、一眼レフカメラ、デジタルカメラ、デジタルビデオカメラ等のレンズを有する電子機器のレンズキャップに広く適用できるものである。
【００２８】
【発明の効果】
以上詳述した発明によれば、本発明は、構成が簡単なレンズキャップを提供することが可能である。
【図面の簡単な説明】
【図１】液晶プロジェクタの外観斜視図。
【図２】液晶プロジェクタの底面図。
【図３】液晶プロジェクタおよびレンズキャップの外観斜視図。
【図４】レンズキャップの内面を示す斜視図。
【図５】図４の断面線Ｘ−Ｘ’におけるレンズキャップの断面図。
【図６】レンズキャップを液晶プロジェクタの三脚として使用している状態を示す図。
【図７】第２の実施の形態に係るレンズキャップの斜視図。
【図８】図７の断面線Ｙ−Ｙ’におけるレンズキャップの断面図。
【符号の説明】
１・・・液晶プロジェクタ、２・・・本体、３・・・上面、４・・・前面、５・・・底面、６・・・レンズ、７・・・ボタン、８・・・脚部、９ａ，９ｂ・・・脚部、１０・・・レンズキャップ本体、１１・・・内面（第１の面）、１２・・・第１の脚載置部、１３・・・第２の脚載置部、１４・・・第３の脚載置部、１２ａ，１３ａ，１４ａ・・・内面、１９・・・脚載置部
【図１】
2004184794.tif 000003
【図２】
2004184794.tif 000004
【図３】
2004184794.tif 000005
【図４】
2004184794.tif 000006
【図５】
2004184794.tif 000007
【図６】
2004184794.tif 000008
【図７】
2004184794.tif 000009
【図８】
2004184794.tif 000010